(57)【要約】本発明は、複素信号（Ｉ，Ｑ）を流すためにそれぞれ形成された受信枝線（１）および送信枝線（２）と、スイッチ（８）を制御する制御装置（２６）とを含んだ送受信装置に関するものである。また、この制御装置を用いて、位相調整ループ（ＰＬＬ）（３０）が、共通の搬送周波数を供給するために送受信側に備えられた周波数変換機（１１〜１４）に接続されている。または、この制御装置を用いて、それぞれ独立して駆動するＰＬＬ（３０，４０）が、送受信枝線（１，２）用に備えられている。したがって、送信機が例えば直接変換によって駆動できる一方で、受信機は、例えば低ＩＦ原理によって駆動できる。本発明を、ＯＦＤＭ多重搬送波システムに使用できる。
2004532551.tif 000002
【特許請求の範囲】
【請求項１】
送受信装置であって、
同相分（Ｉ）および直交成分（Ｑ）を有し、かつ、第１周波数生成装置（３０）に連結されている第１周波数変換機（１１，１２）を備えた、受信枝線（１）と、
同相分（Ｉ）および直交成分（Ｑ）を有し、かつ、第１スイッチ（８）を介して第１または第２周波数生成装置（３０，４０）に切り替えられるように連結された第２周波数変換機（１３，１４）を備えた、送信枝線（２）と、
送受信駆動方法を選択するために、第１スイッチ（８）に連結されている制御装置（２６）とを備えた送受信装置。
【請求項２】
送信枝線と受信枝線と（２，１）を連結するために、第２スイッチ（５）が備えられており、こうすることによって、送信枝線（２）から供給されたＨＦ信号を、受信枝線（１）のＨＦ入力部にスイッチ位置に応じて接続し、上記第２スイッチ（５）が、当該第２スイッチを駆動するために、制御装置（２６）に連結されていることを特徴とする、請求項１に記載の送受信装置。
【請求項３】
送信枝線および受信枝線（２，１）の高周波数側に、帯域通過フィルター（９）がそれぞれ１つずつ連結されていることを特徴とする、請求項２に記載の送受信装置。
【請求項４】
上記帯域通過フィルター（９）が、弾性表面波フィルターであることを特徴とする、請求項３に記載の送受信装置。
【請求項５】
送信枝線および受信枝線（２，１）が、制御用に制御装置（２６）に接続された切り替え可能な遮断周波数を有する、ローパスフィルター（２０〜２３）を少なくとも１つずつ含んでいることを特徴とする、請求項１〜４のいずれかに記載の送受信装置。
【請求項６】
デジタル信号処理装置（４，３）が、送信枝線（２）の前と、受信枝線（１）の後とに接続されており、上記デジタル信号処理装置は、送受信側に、フィルター係数を切り替えできるローパスフィルター（５３，５４，５９，６０）をそれぞれ１つずつ含んでいることを特徴とする、請求項１〜５のいずれかに記載の送受信装置。
【請求項７】
上記デジタル信号処理装置（３，４）が、位相エラー補償回路網（５７，５８，６３，６４）をそれぞれ１つずつ含んでいることを特徴とする、請求項１〜６のいずれかに記載の送受信装置。
【請求項８】
上記制御装置（２６）は、位相エラー補償回路網（５７，５８，６３，６４）およびローパスフィルター（５３，５４，５９，６０）を駆動するために、位相エラー補償回路網とデジタル信号処理装置（３，４）のローパスフィルターとに接続されていることを特徴とする、請求項６および７に記載の送受信装置。
【請求項９】
第１および第２周波数生成装置（３０，４０）が、共通の基準周波数源（５０）に連結されていることを特徴とする、請求項１〜８のいずれかに記載の送受信装置。
【請求項１０】
第１および第２周波数生成装置（３０，４０）が、それぞれ、分周比によって互いに独立して調節できる局部発振器周波数を有する位相調整ループとして形成されていることを特徴とする、請求項１〜９のいずれかに記載の送受信装置。
【発明の詳細な説明】
【０００１】
本発明は、送受信装置に関するものである。
【０００２】
送受信装置、特に移動式無線に使用できる送受信装置は、トランシーバと呼ばれている。このような送受信機は、通常、ベースバンド信号を高周波数信号に変換する送信経路と、例えばアンテナに供給された高周波数信号をベースバンド信号に変換する受信経路とを含んでいる。
【０００３】
以下では、ベースバンド信号は、ローパス信号、および、低中間周波数（低ＩＦ）周辺の帯域制限信号と解釈されている。
【０００４】
高周波数信号からベースバンド信号に変換するために、受信経路に関して、様々な方法およびそれによって生じた受信構造（Empfangsarchitekturen）が知られている。例えば直接変換（ＤＣ）の場合、高周波数信号は、発振器信号を用いて複素信号（ＩおよびＱ成分に分解された信号）に低減・混合される。
【０００５】
Ｉ成分は、同相分であり、Ｑ成分は、ここでは９０度位相シフトされた複素ベースバンド信号の直交成分である。
【０００６】
受信機における高周波数信号からベースバンド信号に変換するための、他の可能性が、いわゆる低ＩＦである。この低ＩＦの場合、受信機の局部発振器は、高周波数信号の搬送周波数ではなく中間周波数によってシフトされた周波数で発振する。この周波数合成によって、利用領域と一致しているために阻止する必要のあるイメージ帯域が発生する。こうして発生したベースバンド信号は、純粋に実際の（rein reell）信号である。
【０００７】
また、受信枝線の周波数合成に関する第３の公知の可能性は、イメージ妨害混合（spiegelunterdrueckende Mischung）（ＩＲ）という名で知られている。この場合、受信発振器は、低ＩＦ周波数合成の場合のように、中間周波数によって搬送波とは異なる局部発振器周波数で発振する。獲得されたベースバンド信号は、ＩおよびＱ成分からなるが、さらに、Ｑ成分の相回転、続いてＩおよびＱ信号の和が実行される。
【０００８】
ベースバンド信号が高周波数信号に変換される送信枝線でも、記載した３つの方法、つまり、イメージ妨害混合、直接変換、および、低ＩＦ変換を、類似の方法で実施できる。
【０００９】
通常、設定された目的に応じて（例えば必要とされる変調方法、望ましい多重アクセス方法、必要とされる可変周波数分割間隔、および、雑音・チャネル調節の正確さなどに関して必要とされる遵守された規格、チャネル調整の正確さ等）、上述の方法のうちの１つを送受信構造において実施し、その方法の特性を、設定された目的に適合する。
【００１０】
本発明の目的は、異なる複数の伝送方法に適しており、したがって広範に使用でき、さらに、低コストで製造できる、送受信装置を提供することにある。
【００１１】
本発明の目的を、
同相分および直交成分を有し、かつ、第１周波数生成装置に連結されている第１周波数変換機を備えた、受信枝線と、
同相分および直交成分を有し、かつ、第１スイッチを介して第１または第２周波数生成装置に切り替えられるように連結された第２周波数変換機を備えた、送信枝線と、
送受信の駆動方法を選択するために、第１スイッチに連結されている制御装置とを備えた送受信装置によって達成する。
【００１２】
この送受信装置は、受信枝線および送信枝線用に、独立して互いに個別に駆動している周波数生成装置を１つずつ備えている。しかし、両方の周波数生成装置の基準周波数源は、共通であってもよい。
【００１３】
それゆえ、これら周波数生成装置の局部発振器周波数を、互いに個別に調節できる。このことによって、同時に、送信側と送受信側とで、異なる周波数合成方法を使用できる。例えば、送信側では直接変換を、受信側ではイメージ妨害混合または低ＩＦ混合を使用できる。冒頭に記載した周波数合成方法の考えられる他の全ての組み合わせも、上述した送受信装置に対して実施できる。さらに、これによって、送受信機のＩ／Ｑ欠陥（I/Q-Impairments）を調整できる。
【００１４】
送受信の駆動方法が同じである場合、第１スイッチのスイッチ位置（Schalterstellung）によっては、例えば電流量（Stromaufnahme）を低減するために、同じ周波数生成装置を用いて送受信周波数変換機を駆動できる。
【００１５】
受信側では、送受信装置の高周波数入力部に供給されている高周波数信号が、複合的または実際の、ローパスベースバンド信号または帯域通過ベースバンド信号へ、第１周波数変換機により混合低減される（Heruntergemischt）。このベースバンド信号は、第１周波数生成装置によって供給された搬送周波数によって駆動される。送信側では、上述のトランシーバによって、複合的または実際の、ローパスベースバンド信号または帯域通過ベースバンド信号が、第１スイッチの第１スイッチ位置において、第２周波数生成装置によって供給された、第２周波数変換機の搬送周波数によって、高周波数信号へ変換される。上述したように、第１および第２周波数生成装置は、様々な搬送周波数を供給できる。
【００１６】
また、第１スイッチは、第１スイッチ位置において、第１周波数生成装置が第１周波数変換機に、第２周波数生成装置が第２周波数変換機に連結されており、他方、第２スイッチ位置において、第１周波数生成装置が第１および第２周波数変換機に連結されているように、形成されていることが好ましい。
【００１７】
送受信周波数合成によって、ＩＱ変調、むしろＩＱ復調がそれぞれ行われるので、第１および第２周波数変換機はＩＱ混合器であることが好ましい。受信側の第１周波数変換機は、Ｉ枝線に備えられたＩ混合器と、Ｑ混合器とを含んでいる。Ｉ混合器には、第１周波数変換機から供給された局部発振器信号がそのまま供給される。また、Ｑ混合器には、第１周波数生成装置によって供給された搬送波信号が、位相を９０°シフトして供給される。
【００１８】
このことに応じて、送信枝線も、Ｉ混合器とＱ混合器とを備えたＩＱ混合器を含んでいることが好ましい。Ｉ混合器は、入力側に供給された同相分信号を、スイッチ位置に応じて第１または第２周波数生成装置からそのまま供給された信号と混合するものである。また、Ｑ混合器は、第１または第２周波数生成装置のスイッチ位置に応じて供給され、９０°位相シフトされた信号を、デジタル信号処理装置から供給された信号のＱ成分と混合する。出力側では、第２周波数変換機のＩ混合器およびＱ混合器は、加算器に接続されており、回路の高周波数出力部に連結されている。逆に、第１周波数変換機のＩ混合器およびＱ混合器の信号入力部は、互いに連結されており、かつ、送受信装置の高周波数入力部に連結されている。
【００１９】
上述の汎用トランシーバシステムは、送受間隔（Duplexabstand）（つまり送信信号と受信信号との搬送周波数間隔）が互いにあいていても、あいていなくても、無線機標準規格（Funkstandards）に適している。
【００２０】
また、制御装置は、第１および第２周波数生成装置に、以下のように連結されていることが好ましい。つまり、直接周波数変換を行うために、第１または第２周波数変換機には、受信された、または、送信される高周波数信号の搬送周波数が、それぞれ供給されている。さらに、低ＩＦ周波数合成またはイメージ妨害方法によって送受信するために、高周波数信号の搬送周波数から中間周波数によってシフトする（abweichendes）（上へまたは下へシフトする）局部発振器信号が、第１または第２周波数変換機にそれぞれ供給されている。このように連結されていることが有効である。上述したように、送受信枝線の上記配置によって、様々な周波数合成方法を使用でき、したがって、様々な局部発振器周波数をも、入力側で周波数変換機に供給できる。
【００２１】
本発明の好ましい実施形態では、送信枝線と受信枝線とを連結するために、第２スイッチが備えられている。これによって、送信枝線から供給された高周波数信号を、受信枝線の高周波数入力部にスイッチ位置に応じて接続できる。
【００２２】
この第２スイッチは、送信側では、第２周波数変換機の出力部、例えば加算節点に固定されて（fest）接続されている。受信側では、スイッチ位置に応じて、第２スイッチは第１周波数変換機の信号入力部に接続されている。さらに、第２スイッチは、高周波数側で、スイッチ位置に応じて、例えばフィルターを介して、送信方向に駆動できる無線インターフェース経路に連結されている。他の無線インターフェース経路は、他の帯域フィルターを介して、受信経路のＨＦ信号入力部（つまり、第１周波数変換機の信号入力部）に固定されて接続されていることが好ましい。この、他の無線インターフェース経路は、個別に送受信する場合、受信経路としてのみ形成されており、共通の無線インターフェース経路を用いて送受信する場合、両方の伝送方向用に形成されている。
【００２３】
したがって、第２スイッチの第１スイッチ位置では、互いに完全に別々の信号経路による送受信は、トランシーバの純粋な（echten）全送受動作を提供するために行われる。それとは逆に、第２スイッチ位置では、高周波数側で、共通の高周波数信号経路を形成するために、送受信経路が互いに送受信方向に、好ましくは共通の帯域フィルターに接続されている。また、高周波数側に備えられた第２スイッチによって、上記トランシーバは、送受信する前にいわゆるＩＱ欠陥を調整できるＩＱ調整モードを簡単に実施できるという、他の有効な作用を獲得する。このことは、特に、６４ＱＡＭ（直交振幅変調）のような、より高い変調方法を用いる場合、および、ＯＦＤＭ（直交周波数分割多重）のような多重搬送方法の場合に、重要である。
【００２４】
この第２スイッチは、当該第２スイッチを駆動するために制御装置に連結されている。
【００２５】
本発明の他の好ましい実施形態によって、送受信枝線の高周波数側には、帯域フィルターがそれぞれ備えられている。第２スイッチと無線インターフェースとの間の送信枝線に備えられた第１帯域フィルターは、送信のみに効果的に実施される中央周波数および帯域幅によって構成されていることが好ましい。
【００２６】
受信枝線または送信枝線、および受信枝線に備えられた第２帯域フィルターは、第２スイッチと無線通信インターフェースとの間に備えられており、送受信用に最適な中央周波数と帯域幅とを備えていることが好ましい。
【００２７】
両方の帯域フィルターのフィルター特性は、用途に応じて、同じであってもよいし、異なっていてもよい。
【００２８】
本発明の他の好ましい実施形態では、帯域フィルターは、弾性表面波ＳＡＷである。
【００２９】
本発明の他の好ましい実施形態では、送受信枝線において、切り替え可能な遮断周波数を有するローパスフィルターが、少なくとも１つずつ挿入されており、遮断周波数を制御するために制御装置に接続されている。
【００３０】
送受信枝線が複合的なＩＱ経路として、それぞれ１つのＩ枝線およびＱ枝線によって形成されているので、それに応じて、各枝線ごとに１つのローパスフィルターを備えることができる。この結果、全体として、送受信側のＩ枝線とＱ枝線とに、エイリアス除去フィルターをそれぞれ１つずつ備えてもよい。
【００３１】
このローパスフィルターは、第１遮断周波数と第２遮断周波数とに切り替えできることが好ましい。この第１遮断周波数は、安全係数を上げた（erhoeht）有効信号の帯域幅の半分に相当する。また、第２遮断周波数は、同様に安全係数を上げた中間周波数に帯域幅の半分を加えたものに相当する。上記切り替えによって、エイリアス除去フィルター化（Anti-Aliasing-Filterung）を、周波数合成方法に応じて効果的に提供できる。直接変換用に低い遮断周波数を調節できる一方で、低ＩＦ変換用には、中間周波数によって上昇する、高い遮断周波数を調節できる。送信側と受信側とで異なる周波数合成方法を用いる場合、当然ながら、送信側と受信側とで、制御装置を介して、異なるローパスフィルター遮断周波数を選択できる。
【００３２】
本発明の他の好ましい実施形態では、デジタル信号処理装置が、送信枝線の前と、受信枝線の後とに接続されている。この装置は、送受信側に、フィルター係数の切り替えができるローパスフィルターをそれぞれ１つずつ含んでいる。
【００３３】
また、アナルグ装置およびデジタル装置を、個別の２つの集積回路、または、共通の回路に集積できる。
【００３４】
送信側では、デジタル信号処理装置は、第２周波数変換機の上流に同様に接続されたエイリアス除去ローパスフィルターの上流に接続されていることが好ましい。それとは逆に、受信側では、デジタル信号処理装置は、第１周波数変換機の下流に同様に接続されていることが有効な、エイリアス除去フィルターの下流に接続されていることが有効である。
【００３５】
デジタル信号処理装置では、フィルター係数の切替えができる、好ましくは高次のフィルターであるローパスフィルターを用いて、上述のＩＱ欠陥の修正を実施できる。また、通常アナログで実施される、上記トランシーバの上記高周波数前置を、デジタル信号処理装置に連結するために、アナログ／デジタル、または、デジタル／アナログ変換機が備えられていることが好ましい。送受信側に連結されたこれらのデジタル信号処理装置を、同じ、または、別々の２つのデジタル信号処理装置として形成できる。
【００３６】
本発明の他の好ましい実施形態では、このデジタル信号処理装置は、それぞれ１つの位相エラー補償回路網を含んでいる。
【００３７】
この位相エラー補償回路網は、送受信側でＩ経路とＱ経路との間の丁度９０°の位相シフトを元の状態に戻すために用いられる。
【００３８】
本発明の他の好ましい実施形態では、制御装置は、位相エラー補償回路網とデジタル信号処理装置のローパスフィルターとに、それらを駆動するために、接続されている。あるいは、これに加えて、位相エラー補償回路網とデジタル信号処理装置のローパスフィルターとを駆動するために、第１制御装置に連結できる、もう１つの他の制御装置を配置してもよい。
【００３９】
本発明の他の好ましい実施形態では、第１および第２周波数生成装置は、共通の基準周波数源（例えば水晶周波数源）に連結されている。
【００４０】
これによって、上記トランシーバの構造を、電流を低減するとともに、特に面積を縮小して実現できる。
【００４１】
本発明の他の好ましい実施形態では、第１および第２周波数生成装置は、それぞれ、分周比（Teilerverhaeltnisse）によって互いに独立して調節できる局部発振器周波数を有する位相調整ループ（Phasenregelschleife）として形成されている。
【００４２】
デジタル信号処理装置は、送信側または受信側で、イメージ周波数を阻止するための手段を配置できる。また、この手段を、それを活性化するために、駆動装置に連結できる。
【００４３】
また、送信枝線を有する送信装置および受信枝線を有する受信装置を、Ｉ／ＱオフセットエラーおよびＤＣオフセットエラーを補償するために、ＯＦＤＭ復調器またはそれ以外の復調器を用いて駆動できる。
【００４４】
本発明の他の詳細については、従属請求項に示す。
【００４５】
以下に、本発明を、複数の図面に基づき、実施例に沿って詳述する。図１は、本発明の第１実施例を示すブロック回路図である。図２は、図１のブロック回路図の送信側の上流に接続された、デジタル信号処理装置を示す図である。図３は、図のブロック回路図の受信側の下流に接続された、デジタル信号処理装置を示す図である。図４は、直接変換と、受信機における周波数との関連性を示す図である。図５は、同相分のみを使用する低ＩＦ周波数合成と、受信機における周波数との関連性を示す図である。図６は、イメージ妨害混合と、受信機における周波数との関連性を示す図である。図７は、低中間周波数と、送信機における周波数との関連性、および、Ｉ成分のみをさらに処理することを示す図である。図８は、周波数阻止混合と、送信機における周波数との関連性を示す図である。図９ａ−９ｃは、図１の回路を用いて、送信Ｉ／Ｑ欠陥および受信Ｉ／Ｑ欠陥、および、それらの修正可能性を推定した図である。図１０ａ−１０ｄは、ＩＱ欠陥修正についてさらに説明するためのグラフである。図１１ａ−１１ｃは、送信枝線でのＩＱ欠陥の推定にしたがって、その欠陥の修正を示す図である。図１２ａ−１２ｃは、第１変調例における、ＩＱ欠陥に起因する望ましくない信号成分の修正可能性を示す図である。図１３ａ−１３ｃは、他の変調例におけるＩＱ欠陥修正を示す図である。図１４は、グラフにおける、ＩＱ欠陥修正用の搬送波および空白（Nullen）の配列を示す図である。図１５ａ−１５ｃは、ＤＣオフセットの修正可能性を示す図である。図１６は、図１５ａ〜１５ｃに記載された原理にしたがって、ＤＣオフセットを修正するために形成された、図１〜図３に基づいた対象（Gegenstands）の発展した形態を示す図である。図１７ａおよび１７ｂは、ＯＦＤＭテスト信号を用いたＤＣオフセットの修正を示す図である。図１８ａ−１８ｃは、送受信側から発生するＩＱ欠陥およびＤＣオフセットを、適したＯＦＤＭテスト信号を用いた本対象によって別々に検出できることを詳述するための見取り図である。図１９は、図１のスイッチ５の実施例を示す図である。
【００４６】
図１は、受信枝線１および送信枝線２を備えた送受信装置を示すブロック回路図である。
【００４７】
送信枝線２および受信枝線１は、それぞれ、デジタル信号処理装置３，４をスイッチ５に接続している。このスイッチ５は、ＨＦ送受信経路（９）を介してエアーインターフェース６，７に連結されている。
【００４８】
この受信枝線１は、９０°位相シフトした信号によって駆動する２つの混合器１１，１２を含んだ、第１周波数変換機１１，１２を備えている。これらの混合器は、スイッチ５を介して供給される高周波数信号を、複素ベースバンド信号に低減・混合するものである。それゆえ、第１周波数変換機１１，１２の出力側には、ベースバンド信号の同相分および直交成分用のＩ経路およびＱ経路が、それぞれ形成されている。
【００４９】
また、送信枝線２は、９０°位相シフトした局部発振器信号によって駆動する２つの混合器によって入力部に供給されたベースバンドのＩＱ信号を、高周波数信号に上昇・変換する。また、第２周波数変換機の混合器１３，１４の信号出力部は、出力側でスイッチ５に連結されている加算節点１５において、互いに接続されている。この上昇混合器１３，１４は、入力側に、同相経路Ｉまたは直交経路Ｑを備えている。
【００５０】
第１および第２周波数変換機１１〜１４を駆動するための局部発振器周波数または搬送周波数を供給するために、互いに別々に駆動する２つの周波数生成装置３０，４０が備えられている。これらは、それぞれ、位相調整ループとして形成されている。詳細には、これらの位相調整ループ３０，４０は、電圧制御発振器３１，４１をそれぞれ１つずつ含んでおり、電圧制御発振器の出力信号は、下流に接続された周波数分周器３２，４２によって、周波数に応じて（frequenzmaessig）低減・分周される。続いて、この出力信号は、周波数分周器３２，４２の下流に接続された位相検波器３３，４３に供給される。この位相検波器は、周波数を分周された、ＶＣＯ４１，３１の出力信号と、共通の基準周波数源５０によって供給され、かつ、周波数分周器３４，４４において低減・分周された基準信号とを比較する。これらの位相検波器３３，４３の下流には、制御回路の安定性を保証するために、ループフィルター３５，４５がそれぞれ１つずつ接続されている。これらのループフィルターは、出力側でそれぞれＶＣＯ３１，４１の同調入力部に接続されている。第１ＰＬＬ３０の出力部が位相シフト部分（Phasenverschiebungsbaustein）１６を介して直接混合器の入力部１１，１２に接続されており、さらに、第１ＰＬＬ３０の出力部を、スイッチ８（これを用いて、ＰＬＬ３０の出力信号を、スイッチ８の出力部に連結されている他の位相シフト部分１７を介して混合器１３，１４の局部発振器入力部に供給できる）の切り替え可能な入力部に接続できる間、第２ＰＬＬ４０の出力部は、切り替え可能なスイッチ８の他の入力部に連結されており、このスイッチを切り替えることによって、第２ＰＬＬ４０は、位相シフトモジュール１７の入力部に接続されている。これらの位相シフトモジュール１６，１７は、アナログ回路部分において位相補正を行うために、制御装置２６に接続されている。
【００５１】
スイッチ８の第１スイッチ位置では、第１ＰＬＬ３０の出力部は、搬送周波数を供給するために、周波数変換機１１，１２とともに周波数変換機１３，１４に接続されている。それとは逆に、第２スイッチ位置では、第１ＰＬＬ３０の出力部は、第１周波数変換機１１，１２に接続されており、第２ＰＬＬ４０の出力部は、送信側の周波数変換機１３，１４に接続されている。
【００５２】
第２スイッチ５は、以下のように形成・連結されている。つまり、送信枝線および受信枝線が互いに全く別々に接続されている第１スイッチ位置において、送信枝線２の出力部がＳＡＷフィルター９を介して第１エアーインターフェース６に連結され、受信枝線１の入力部が、同様に弾性表面波フィルター９を介して第２エアーインターフェース７に接続されているのである。このとき、送受信側の信号経路を完全に別々にする。それに対して、スイッチ５の第２スイッチ位置では、送信枝線２の出力部と受信枝線１の入力部とは、互いに直接接続され、弾性表面波フィルター９を介して第２エアーインターフェース７に接続されている。
【００５３】
また、送信側の周波数変換機１３，１４の上流に接続され、エイリアス除去フィルターとして機能しているローパスフィルター２０，２１と、同様に受信機のＩ枝線およびＱ枝線に備えられるとともに、受信機の周波数変換機１１，１２の下流に増幅器を介して接続されているエイリアス除去ローパスフィルター２２，２３とは、切り替え可能な遮断周波数をそれぞれ有している。この受信側のローパスフィルター２２，２３は、雑音の少ない増幅器２４，２５を介して上昇混合器１１，１２の信号出力部に連結されている。用いられている周波数合成方法（例えば直接変換、低ＩＦまたはイメージ周波数阻止混合）に応じて、少なくとも２つの遮断周波数間での切り替えが、可能である。遮断周波数によって決定されたローパスフィルター２０〜２３の通過域を、この場合、少なくとも有効信号の帯域幅の半分の幅と同じ第１域と、少なくとも半分の帯域幅と低ＩＦ中間周波数との合計に相当する第２通過域とに切り替えできる。
【００５４】
エイリアス除去フィルター２０〜２３を駆動し、スイッチ５，８を切り替え、最後に、分周関係を調節することによってＰＬＬ３０，４０のチャネルまたは搬送周波数を調節するために、制御装置２６が、上記部品の各制御入力部に接続されている。
【００５５】
これらの調節されるチャネルについて、以下に記載する。
【００５６】
送信機または受信機において直接変換する場合、局部発振器周波数は、高周波数信号の中央周波数と同じである。獲得されたベースバンド信号は、Ｉ成分およびＱ成分からなり、複素信号であり、したがって、０ヘルツ軸（Null-Hertz-Achse）に対して非対称であってもよい。有効なベースバンド信号の物理的帯域幅はＢＷ／２であり、隣接チャネルは有効領域を超えている。この有効領域は、０ヘルツからＢＷ／２の間にあり、隣接チャネルはＢＷ／２よりも大きい。ＩＱ復調が理想的に実施され、かつ、ＩＱ欠陥がない場合、エイリアス除去フィルター２０〜２３は、高周波増幅（Eckfrequenz）ＢＷ／２のローパスフィルターであり、同時にベースバンド信号から隣接チャネルをフィルタする。この場合、ベースバンド信号の復調を、アナログ／デジタル変換（図１に示さず）後にデジタル信号処理装置４，３を用いて問題なく実施できる。
【００５７】
送信側において直接変換する間、ベースバンド信号は、帯域幅がそれぞれＢＷ／２であるＩ成分およびＱ成分を有するローパス信号である。送信枝線の周波数合成は、送信される信号の中央周波数で送信発振器４０または３０が発振するように、調節されている。ＩＱ変調後、搬送周波数と同じ中央周波数の、高周波数信号が獲得される。ＩＱ変調が理想的に実施され、ＩＱ欠陥がない場合、信号の劣化は生じない。それに対して、ＩＱ変調が理想的ではない場合、Ｉ成分からＱ成分への望ましくないクロストークが生じてしまうが、このことを、後に述べるように、本発明の配置によって回避できる。
【００５８】
受信機における低ＩＦ周波数合成では、受信発振器３０は、中間周波数を足したり引いたりした高周波数信号の中央周波数で振動する。この高周波数信号は、その発振器信号によって中間周波数に低減・混合される。いわゆるイメージ帯域、つまり、高周波数領域において中間周波数を足したり引いたりした局部発振器周波数の位置にあるイメージ周波数は、それが阻止されていないとき、有効領域と一致する。したがって、イメージ妨害が、高周波数変調の前に、例えばこの場合は弾性表面波フィルター９において実施される必要がある。混合後に獲得されたベースバンド信号は、Ｉ成分およびＱ成分からなる。しかし、両方の成分のうちの１つだけがさらに処理される。したがって、このベースバンド信号は、純粋に実際の、非複素信号であり、このスペクトルは、０Ｈｚ周波数軸に対して対称的である。この有効なベースバンド信号の帯域幅はＢＷであり、その有効領域は、半分の帯域幅だけ低減する中間周波数から、半分の帯域幅だけ上昇する中間周波数までである。受信機のエイリアス除去ローパスフィルター２２，２３の帯域幅は、ＢＷ／２である。この方法に必要なアナログ／デジタル変換機は、１つだけである。
【００５９】
逆に、つまり、低ＩＦを送信する場合、ベースバンド信号は、中間周波数に関する帯域通過信号である。Ｉ成分またはＱ成分のみが、有効信号を伝送するために使用されている。この有効ベースバンド信号の帯域幅は、再び、上記領域において、ＢＷである。送信発振器３０または４０は、スイッチ位置８に応じて、中間周波数まで低減したり上昇したりする、望ましい高周波数信号の中央周波数と同じである、搬送周波数で発振する。変調後、望ましい高周波数信号が、半分の帯域幅まで低減された高周波数信号の中央周波数から、半分の帯域幅まで上昇したその周波数までの周波数帯域において、獲得される。変調器が理想的ではない場合、発振器周波数を有する発振器信号が存在している。しかしこの信号は、通常、有効信号と比べて強く阻止されている。しかし、混合のゆえに、高周波数有効信号と同じ振幅を有するイメージ帯域を、それが不必要に影響する場合、弾性表面波フィルター９を用いて阻止できる。
【００６０】
最後に、イメージ妨害周波数を合成する場合、送信発振器または受信発振器３０，４０は、同様に、搬送周波数に基づいて駆動する。この搬送周波数は、帯域制限ベースバンド信号の中間周波数によって低減または上昇した、望ましいまたは現在の高周波数信号の中央周波数に相当する周波数である。
【００６１】
スイッチ８のスイッチ位置に応じて、１つまたは両方の発振器制御回路３０，４０を駆動できる。
【００６２】
全体的に、局部発振器周波数を形成する場合、以下の場合を区別する必要がある。
【００６３】
つまり、送信枝線および受信枝線において、それぞれ１つの直接変換が生じる場合、ＰＬＬ３０は十分に駆動する。
【００６４】
送信枝線および受信枝線において、低い中間周波数（つまり低ＩＦ周波数合成またはイメージ妨害混合）を用いた方法が望ましい場合も、ＰＬＬ３０が十分に駆動する。
【００６５】
送信枝線では直接変換が、受信枝線では低中間周波数による駆動が望ましい場合、両方のＰＬＬ３０，４０を異なる局部発振器周波数で駆動する必要がある。
【００６６】
受信枝線では直接変換が、受信枝線では低ＩＦによる周波数合成が望ましい場合、様々な搬送周波数を有する、異なる２つの発振器（つまり両方のＰＬＬ３０，４０）を駆動する必要がある。
【００６７】
ＩＱ欠陥の調整を行う必要がある場合、両方のＰＬＬ３０，４０が、搬送周波数の異なる２つの局部発振器信号を供給するために必要である。
【００６８】
上述したように、駆動回路２６によって、スイッチ８を、送信機および受信機において望ましい周波数合成方法に応じて調節可能である。
【００６９】
以上のように、直接変換方法を選択する場合は両方の遮断周波数のうちの低く調節できる方が、低ＩＦによって周波数合成方法を選択する場合は高く調節できる方が用いられるように、制御回路２６によって、ローパスフィルター２０〜２３の遮断周波数を調節できる。このことは、それぞれ調節される周波数合成駆動状態にしたがって、送信枝線にも受信枝線にも用いられる。
【００７０】
したがって、本トランシーバの構造は簡単で、その柔軟性は高く、適用範囲は広く、特に、多重搬送方法に適している。
【００７１】
図２に、送信側のデジタル信号処理装置４を示す。このデジタル信号処理装置は、Ｉ経路およびＱ経路によって形成されており、また、送信枝線のアナログ部分のローパスフィルター２０，２１の上流に接続されているデジタル／アナログ変換機５１，５２を備えている。これらのデジタル／アナログ変換機の上流にも、フィルター係数を調節できるとともに駆動回路２６によって制御されているデジタルフィルター５３，５４が接続されている。Ｉ経路またはＱ経路にそれぞれ１つずつ備えられている、これらの調節可能なフィルター５３，５４の上流にも、位相エラー補償回路網５５，５６，５７，５８が備えられている。直交経路Ｑには、位相修正を行わない構成素子５８が備えられ、その下流には増幅器５６が接続されている。このことに対して、同相経路Ｉには、調整可能な位相回転装置５７を形成するための構成素子が備えられており、その下流に接続されているのは、振幅を補正するための調整可能な増幅器５５である。この位相エラー補償回路網５５〜５８も、それを駆動するために、駆動回路２６を用いて連結されている。この位相エラー補償回路網５５〜５８の上流には、イメージ妨害回路４７が接続されており、この回路の上流には、複素ＯＦＤＭ変調器６８が接続されている。
【００７２】
図２および図３によるデジタル信号処理装置は、複素変調器６８からアナログベースバンド信号を供給し、または、アナログベースバンド信号を複素復調器６６に供給する。さらに、デジタルフィルター，ＩＱ欠陥修正，イメージ妨害装置，および，信号の変調器および復調器が備えられている。加えて、ＤＣ（直流）オフセット補償装置７１，７２，７３が、それぞれ備えられている。
【００７３】
図３に、Ｉ経路およびＱ経路をそれぞれ１つずつ有する受信側のデジタル信号処理装置３を詳細に示す。
【００７４】
入力側には、アナログ／デジタル変換機６９，７０が備えられており、この変換機の入力部は、Ｉ経路およびＱ経路を介して受信枝線のローパスフィルター２２，２３に連結されている。これらの変換機の下流には、フィルター係数を調整できるデジタルフィルター５９，６０が接続されており、このフィルターは、駆動回路２６に接続されている。このデジタルフィルターの下流には、Ｉ経路およびＱ経路において、振幅修正用の調整可能な増幅器６１，６２が接続され、次に、Ｉ経路とＱ経路との間の９０°という理想的な位相差からのずれを修正するための位相エラー補償装置６３，６４が接続されている。また、ＩＱ欠陥を調整するためのこれらの補償素子６１〜６４も、制御回路２６に連結されている。連結用に、Ｉ経路およびＱ経路におけるフィードバックまたは相互結合によって駆動できる、二乗平均平方根値検波器を備えていてもよい。
【００７５】
位相エラー補償装置６１〜６４に、回路技術的には、イメージ妨害回路６５が連結されており、それに、複素復調器６６が連結されている。
【００７６】
図４に、Ａで示した中央周波数ｆＲＦを有する有効信号の送受信側の直接変換を、中央周波数ｆＲＦに等しい搬送周波数ｆＣを用いて詳述する。この直接変換によって、０ヘルツ軸に対して非対称であってもよい複素ベースバンド信号Ｂが生じる。受信機側のローパスフィルター２２，２３が低い遮断周波数に調整された結果、フィルター特性Ｃが生じる。隣接チャネルは、−ＢＷ／２から＋ＢＷ／２までの有効領域を超えて位置している。
【００７７】
図５に、図１の回路を用いて行われる受信機１の低ＩＦ周波数合成について、詳述する。受信発振器は、搬送周波数ｆＣ＝ｆＲＦ−ｆＬＩＦ（ｆＬＩＦ＝中間周波数）で発振する。中央周波数ｆＲＦの高周波数有効信号Ａは、この発振器信号ｆＣによって低減・混合される。位置ｆＣ−ｆＬＩＦの領域に位置するいわゆるイメージ帯域は、この位置が阻止されなかった場合、有効領域と一致する。獲得されたベースバンド信号Ｂは、Ｉ成分およびＱ成分からなるが、それらの成分のうちの１つだけが、さらに処理される。したがって、ベースバンド信号Ｂは純粋に実際の信号であり、そのスペクトルは、０ヘルツ軸に対して対称的である。ローパスフィルター２２，２３の遮断周波数はより高く、したがって、それらの通過域特性Ｄは広い。また、妨害信号Ｅは、有効信号Ａ，Ｂによって、三角形の信号成分Ｅになる。
【００７８】
図６に、図１の配置を用いて受信側で可能な、イメージ妨害混合による周波数合成を示す。周波数を合成する場合、発振器周波数ｆＣと中央周波数ｆＲＦを有する有効信号Ａとの関連性は、図５における関連性と同じである。しかし、図５とは対照的に(英文では、In contrast to Fig.5)、図６では、ベースバンド信号Ｂは、Ｉ成分およびＱ成分をさらに処理する複素ベースバンド信号である。さらに、イメージ妨害混合では、帯域幅ＢＷの有効ベースバンド信号は、イメージ帯域と一致する。それにしたがって、ＩＱイメージ妨害が必要である。図３の装置６５は、このために備えられている。
【００７９】
図７に、ベースバンド信号Ｂが帯域幅ＢＷの帯域通過信号である、低中間周波数（低ＩＦ）で送信する際の関連性を示す。また、高周波数有効信号を、Ａで示す。搬送周波数ｆＣとの混合によって、中央周波数ｆＲＦを有する有効信号Ａが、イメージ帯域Ｆとともに発生する。ローパスフィルター２０，２１も、高遮断周波数（つまり、フィルター特性Ｄ）を調整している。
【００８０】
図８に、送信枝線におけるイメージ妨害混合の際の関連性を示す。ベースバンド信号ＢはＩ成分およびＱ成分による帯域通過信号であり、複雑であり、それゆえ対称である必要はない。中間周波数ｆＬＩＰの周りの帯域幅ＢＷの有効信号を、Ｂで示す。搬送周波数ｆＣとの混合によって、中央周波数ｆＲＦの周りの望ましい高周波数信号Ａが獲得される。そして、この高周波信号Ａは、帯域幅ＢＷを有する。理想的ではない変調器では、通常、有効信号と比べて著しく阻止された、搬送周波数ｆＣでの漏れ信号が、存在している。他方、ＩＱ欠陥のゆえに、イメージ帯域が、周波数帯域ｆＲＦ−２・ｆＬＩＰ−ＢＷ／２〜ｆＲＦ−２・ｆＬＩＰ＋ＢＷ／２に生じる。このイメージ帯域をＦで示す。ＨＦ有効信号に対するイメージ帯域の阻止は、ＩＱ欠陥の大きさに応じて変化する。有効ＨＦ信号Ａの質自体は、ＩＱ欠陥からの影響を受けない。
【００８１】
図９ａ〜９ｃに、正弦曲線の形状をした複合的なテスト信号を用いた、時間領域におけるＩＱ欠陥の推定を、搬送周波数ｆＣによって示す。このテスト信号をＴで示す。図９ｂに示しているように、ＩＱ欠陥に起因して、送信経路では、イメージ搬送波Ｓが有効搬送波Ｎに対して非対称に形成されている。この信号搬送波Ｓの振幅は、ＩＱ変調器、つまり送信枝線の変調器の、位相エラーおよび振幅エラー用の直接測定値（direktes Mass）である。また、図９ｃに、ＩＱ欠陥を修正するためにスイッチ５を介して送信枝線２に直接連結された受信枝線１における関連性を示す。この受信枝線では、アナログおよびデジタルフィルター化の後で、送信された有効搬送波Ｎのみが獲得されるように、高周波数信号がＩＱ復調される。再び、有効搬送波用に、参照符号Ｔで表されたイメージ搬送波が獲得され、この搬送波は、ＩＱ復調器、つまり受信枝線１における振幅エラーおよび位相エラー用直接測定値である。送受信側に互いに別々に検出されたＩＱ欠陥を認識することによって、本発明のトランシーバを用いた時間領域における推定に続いて、欠陥を修正できる。
【００８２】
図１０ａ〜１０ｄに、周波数に関して複雑に表現された（in komplexer Darstellung）他のグラフにおいて、様々なグラフを用いて生じたＩＱ欠陥を示す。図１０ａは、規格化されたコサイン振動ｃｏｓ、および、振幅と位相との両方において質を落とされた（verfaelschte）サイン振動ｓｉｎを、時間に対するグラフによって示す。この振動は、一方ではその公称の振幅よりも大きな振幅を有し、他方、理想的ではない９０°に位相シフトされている。また、図１０ｂに、図１０ａの複素信号を複雑な平面に示す。上記振幅偏差および位相偏差は、図１０ｂでは、理想的な円の偏差によって示されており、質の落ちた信号は、複雑な表現において楕円形の形状をしている。
【００８３】
図１０ｃに、位相エラーに応じて変化するＤＣオフセットが存在する、図１０ａおよび１０ｂの複素信号の実部および仮想部分の乗算の結果を示す。最後に、図１０ｄは、図１０ｃに従った信号を集積化して示しており、位相エラー用の測定値である。
【００８４】
ＩＱ欠陥を送信機および受信機ごとに分けて推定した後、初めに、送信側のＩＱ欠陥を修正できる。このことを、図１１ａおよび１１ｂに示す。それらの図では、入力側で送信枝線に供給されるデジタル信号は、修正成分Ｋを含んでいる。そして、送信枝線２のＩＱ変調後、図１１ｂのイメージ成分が丁度なくなってしまうように、デジタル信号処理装置４を用いて調整する。受信枝線のＩＱ復調後、再び、送信機の修正成分Ｋ用の修正変数（Stellgroesse）である複素振動が、獲得される。
【００８５】
その代わりに、有効搬送波の周波数を変えることができる。これによって、周波数に応じて変化する振幅エラーを修正する。この場合、ＩＱ欠陥修正は、図２および３のデジタルフィルターを用いて、つまり、デジタル信号処理装置３，４を用いて行われる。これらのフィルター５３，５４，５９，６０は、周波数ひずみ補正器（Frequenzgangentzerrer）（いわゆる等化器）として駆動している。これらの係数は、エラーが選択された周波数に応じてなくなるか、または、できる限り小さくなるように、調整されている。
【００８６】
図１２ａ〜１２ｃに、ＩＱ欠陥の推定可能性、つまり多重搬送信号変調（いわゆるＯＦＤＭ変調、直交周波数分割多重）用のこのＩＱ欠陥のできる限りの修正を示す。この方法は、ラジオ放送システムＤＡＢ（デジタルオーディオ放送）、および、Ｈｉｐｅｒｌａｎ２およびＩＥＥＥ８０２．１１ｂによる方法において、すでに用いられており、デジタルテレビ信号の伝送に期待されている。
【００８７】
図１２ａに、多重搬送テスト信号を示す。基準符号は、全部でＮ個の搬送波からなり、これらの搬送波によって、「右」半分だけが変調されている。左側半分の帯域は、０に変調されている。搬送周波数ｆＣの発振器信号ＴによるＩＱ変調後、図１２ｂに示したように、スペクトルＴＭ´が生じる。このスペクトルでは、０周波数軸に面したスペクトルのそれぞれ半分は、送信機に起因するＩＱ欠陥用の測定値である。続いて、この信号が、搬送波および中間周波数の差ｆＣ−ｆＬＩＰに相当する発振器信号によって再び復調されると、図１２ｃに示したように、複素ベースバンド信号ＴＭ´´が再び発生する。受信枝線のＩＱ欠陥は、望ましくない信号成分ＴＭ´´´のみを、受信側のＩＱ欠陥の測定値である０ヘルツ周波数線に対して鏡面対称的に引き起こす。したがって、ここでも、送信枝線および受信枝線の欠陥の影響を別々に検出できる。この結果、送信機および受信機におけるこの欠陥を別々に修正することもできる。多重搬送波システムの搬送波およびそれに付属の望ましくないイメージ搬送波のそれぞれは、異なる周波数を有している。したがって、多重搬送波テスト信号ＴＭのみを用いて、周波数に応じて変化するエラーを推定できる。修正は、図２および３に関して記載した様に行われる。
【００８８】
図１３ａ〜１３ｃに、テスト信号として使用するための多重搬送波ＯＦＤＭ方法の基準符号ＴＮの他の実施例を示す。隙間ごとに（lueckenweise）、各２つめ、または、各４つめの搬送波のみが変調され、残りの搬送波は０に変調される。周波数ｆＣの発振器信号ＴによるＩＱ変調によって、図１３ｂに示したスペクトルＴＮ´が生じる。図１の送信枝線２におけるＩＱ欠陥は、変調された０の位置において、送信側のＩＱ欠陥用の測定値である望ましくない信号成分が生じることに起因している。続いて、発振器信号ｆＣ−ｆＬＩＰによって信号がＩＱ復調された結果、図１３ｃに示した複素ベースバンド信号ＴＮ´´が生じる。図１の受信枝線１のＩＱ欠陥は、０周波数線に対して鏡面対称的に、望ましくない信号成分ＴＮ´´´を引き起こす。この結果、送信機および受信機のＩＱ欠陥の影響を、互いに別々に検出でき、それゆえ、受信機において個別に修正できる。受信機における修正は、図２および３のデジタル信号処理回路に基づいて行われる。それゆえ、図１３ａのテスト信号によって、周波数に応じて変化するエラーを簡単に推定できる。
【００８９】
図１４に、多重搬送波変調方法を用いたＮ搬送波による基準符号の変調を、もう一度示す。この方法では、隙間ごとに、各４つ目の搬送波が変調され、その間に、例えばＯＦＤＭ変調方法を用いて、０が搬送周波数に上昇・変調される。
【００９０】
図１５ａ〜１５ｃに、本発明による対象によって送受信側のＤＣオフセットを検出でき、それらを、送信機枝線および受信機枝線において別々に修正できることを示す。上述のＩ／Ｑ振幅エラーおよびＩ／Ｑ位相エラーをすでに修正できるという以外に、Ｉ／Ｑ変調およびＩ／Ｑ復調の場合、ＤＣオフセットの発生は望ましくない。ＤＣオフセットなしに、搬送波は、変調（復調）後、完全に阻止される。これに対して、ＤＣオフセットは、搬送波が完全に阻止されないようにする。本対象では、ＤＣオフセットを、送信枝線および受信枝線から互いに影響を受けずに検出でき、補償できる。このために、図１５ａ〜１５ｃに記載したように、テスト信号が発生する。図１のスイッチ５は、送信枝線が受信枝線に接続されているように、配置される。この例では、直接変換によって、送受信側に出力される。全てのすでに記載した他の組み合わせも、同様に可能である。
【００９１】
図１５ａのテスト信号は、調和のとれた振動として発生し、搬送周波数に上昇・混合される。局部発振器の搬送波信号は、送信側のオフセットのゆえに完全には阻止されない。受信経路では、受信発振器は、送信側の発振器用に周波数オフセットによって駆動されている。また、図１５ｃに、低減・混合された信号を示す。デジタル信号処理装置に備えられたローパスフィルターは、有効搬送波およびイメージ生成物（Spiegelprodukte）の成分を阻止している。受信枝線のＤＣオフセット成分の周波数は０であり、この成分を、他のローパスによって、送信枝線のＤＣオフセット成分から分離できる。また、後者の成分を、ハイパスフィルターによって獲得できる。
【００９２】
図１６に、別々に検出されたＤＣオフセットを補正するために、このＤＣオフセットから修正変数を獲得するための回路を示す。送受信側では、それぞれ１つの加算節点７１，７２が、Ａ／ＤまたはＤ／Ａ変換機のデジタル側に連結されている。この加算節点７１，７２に、ＤＣオフセット検波器７３が接続されている。この検波器は、制御回路２６に連結されているとともに修正変数獲得および修正に必要な上記ハイパスフィルターおよびローパスフィルターを備えている。
【００９３】
図１７ａおよび１７ｂに、例えば、送受信枝線の直接変換による、ＯＦＤＭ信号用のＤＣオフセットを修正するための特別なＯＦＤＭテスト信号を示す。多重搬送波信号中の搬送周波数のうちのいくつかは、変調されない（０）。変調された、および、変調されなかった搬送波の配置の選択は、ＩＱ欠陥に起因する送信枝線のイメージ搬送波が、受信枝線において、起因するイメージ搬送波とは明らかに異なるように行われる。同様に、インターリーブされた搬送波を、図１７ａ，１７ｂに示す。
【００９４】
図１８ａ〜１８ｃに、送信機および受信機の直接周波数変換を用いたＯＦＤＭ信号用に、Ｉ／Ｑ変調器およびＩ／Ｑ復調器の妨害変数の検出を示す。送信枝線では、ＯＦＤＭテスト信号（参照：図１８ａ）は、送信発振器の搬送周波数（参照：図１８ａ）によって、ＨＦ信号（参照：図１８ｂ）に上昇・混合される。受信枝線でも同様に、局部発振器の周波数間隔は、例えば搬送波間隔またはその倍数に相当する送信側の発振器用に選択される。搬送波およびゼロの、正しく選択された組み合わせによって、個々の成分（つまり、送信枝線のＩ／Ｑ欠陥、受信枝線のＩ／Ｑ欠陥、送信枝線のＤＣオフセット、受信枝線のＤＣオフセット）は重なり合わない。その結果、受信機では明確な分離が実現する。したがって、これらの妨害成分を、この修正変数を獲得するために、互いに別々に検出でき、補償できる。
【００９５】
最後に、図１９に、図１のスイッチ５の実施例を示す。スイッチ位置では、送受信枝線が、互いに直接接続されている。スイッチ位置ｂおよびｃは、通常動作用に備えられている。スイッチ位置ｂでは、共通の送受信枝線７が駆動されており、スイッチ位置ｃでは、送信６と受信７の完全な分離が補償されている。
【図面の簡単な説明】
【００９６】
【図１】本発明の第１実施例を示すブロック回路図である。
【図２】図１のブロック回路図の送信側の上流に接続された、デジタル信号処理装置を示す図である。
【図３】図のブロック回路図の受信側の下流に接続された、デジタル信号処理装置を示す図である。
【図４】直接変換と、受信機における周波数との関連性を示す図である。
【図５】同相分のみを使用する低ＩＦ周波数合成と、受信機における周波数との関連性を示す図である。
【図６】イメージ妨害混合と、受信機における周波数との関連性を示す図である。
【図７】低中間周波数と、送信機における周波数との関連性、および、Ｉ成分のみをさらに処理することを示す図である。
【図８】周波数阻止混合と、送信機における周波数との関連性を示す図である。
【図９Ａ】図１の回路を用いて、送信Ｉ／Ｑ欠陥および受信Ｉ／Ｑ欠陥、および、それらの修正可能性を推定した図である。
【図９Ｂ】図１の回路を用いて、送信Ｉ／Ｑ欠陥および受信Ｉ／Ｑ欠陥、および、それらの修正可能性を推定した図である。
【図９Ｃ】図１の回路を用いて、送信Ｉ／Ｑ欠陥および受信Ｉ／Ｑ欠陥、および、それらの修正可能性を推定した図である。
【図１０Ａ】ＩＱ欠陥修正についてさらに説明するためのグラフである。
【図１０Ｂ】ＩＱ欠陥修正についてさらに説明するためのグラフである。
【図１０Ｃ】ＩＱ欠陥修正についてさらに説明するためのグラフである。
【図１０Ｄ】ＩＱ欠陥修正についてさらに説明するためのグラフである。
【図１１Ａ】送信枝線でのＩＱ欠陥の推定にしたがって、その欠陥の修正を示す図である。
【図１１Ｂ】送信枝線でのＩＱ欠陥の推定にしたがって、その欠陥の修正を示す図である。
【図１１Ｃ】送信枝線でのＩＱ欠陥の推定にしたがって、その欠陥の修正を示す図である。
【図１２Ａ】第１変調例における、ＩＱ欠陥に起因する望ましくない信号成分の修正可能性を示す図である。
【図１２Ｂ】第１変調例における、ＩＱ欠陥に起因する望ましくない信号成分の修正可能性を示す図である。
【図１２Ｃ】第１変調例における、ＩＱ欠陥に起因する望ましくない信号成分の修正可能性を示す図である。
【図１３Ａ】他の変調例におけるＩＱ欠陥修正を示す図である。
【図１３Ｂ】他の変調例におけるＩＱ欠陥修正を示す図である。
【図１３Ｃ】他の変調例におけるＩＱ欠陥修正を示す図である。
【図１４】グラフにおける、ＩＱ欠陥修正用の搬送波および空白（Nullen）の配列を示す図である。
【図１５Ａ】ＤＣオフセットの修正可能性を示す図である。
【図１５Ｂ】ＤＣオフセットの修正可能性を示す図である。
【図１５Ｃ】ＤＣオフセットの修正可能性を示す図である。
【図１６】図１５ａ〜１５ｃに記載された原理にしたがって、ＤＣオフセットを修正するために形成された、図１〜図３に基づいた対象（Gegenstands）の発展した形態を示す図である。
【図１７Ａ】ＯＦＤＭテスト信号を用いたＤＣオフセットの修正を示す図である。
【図１７Ｂ】ＯＦＤＭテスト信号を用いたＤＣオフセットの修正を示す図である。
【図１８Ａ】送受信側から発生するＩＱ欠陥およびＤＣオフセットを、適したＯＦＤＭテスト信号を用いた本対象によって別々に検出できることを詳述するための見取り図である。
【図１８Ｂ】送受信側から発生するＩＱ欠陥およびＤＣオフセットを、適したＯＦＤＭテスト信号を用いた本対象によって別々に検出できることを詳述するための見取り図である。
【図１８Ｃ】送受信側から発生するＩＱ欠陥およびＤＣオフセットを、適したＯＦＤＭテスト信号を用いた本対象によって別々に検出できることを詳述するための見取り図である。
【図１９】図１のスイッチ５の実施例を示す図である。
【符号の説明】
【００９７】
１          受信枝線
２          送信枝線
３          デジタル信号処理
４          デジタル信号処理
５          スイッチ
６          エアーインターフェース
７          エアーインターフェース
８          スイッチ
９          弾性表面波
１１        周波数変換機
１２        周波数変換機
１３        周波数変換機
１４        周波数変換機
１５        加算節点
１６        位相シフトモジュール
１７        位相シフトモジュール
２０        ローパス
２１        ローパス
２２        ローパス
２３        ローパス
２４        ＬＮＡ
２５        ＬＮＡ
２６        駆動回路
３０        周波数生成装置
３１        ＶＣＯ
３２        分周器
３３        位相検波器
３４        分周器
３５        ループフィルター
４０        周波数生成装置
４１        ＶＣＯ
４２        分周器
４３        位相検波器
４４        分周器
４５        ループフィルター
５０        基準発振器
５１        ＤＡＣ
５２        ＤＡＣ
５３        ローパスフィルター
５４        ローパスフィルター
５５        ＰＡ
５６        ＰＡ
５７        位相エラー成分
５８        位相エラー成分
５９        ローパス
６０        ローパス
６１        ＬＮＡ
６２        ＬＮＡ
６３        位相シフトモジュール
６４        位相シフトモジュール
６５        イメージ妨害
６６        多重搬送波復調器
６７        イメージ妨害
６８        多重搬送波変調器
６９        ＡＤＣ
７０        ＡＤＣ
７１        加算節点
７２        加算節点
７３        ＤＣオフセット検波器
Ａ          有効信号
Ｂ          ベースバンド信号
ＢＷ        帯域幅
Ｃ          フィルター特性
Ｄ          フィルター特性
Ｅ          エラー信号
Ｆ          イメージ信号
Ｋ          修正成分
Ｎ          有効搬送波
ＴＭ        多重搬送波テスト信号
ＴＮ        多重搬送波テスト信号
ｆＣ        搬送周波数
ｆＲＦ      局部発振器周波数
ｆＬＩＦ     中間周波数
【図１】
2004532551.tif 000003
【図２】
2004532551.tif 000004
【図３】
2004532551.tif 000005
【図４】
2004532551.tif 000006
【図５】
2004532551.tif 000007
【図６】
2004532551.tif 000008
【図７】
2004532551.tif 000009
【図８】
2004532551.tif 000010
【図９Ａ】
2004532551.tif 000011
【図９Ｂ】
2004532551.tif 000012
【図９Ｃ】
2004532551.tif 000013
【図１１Ａ】
2004532551.tif 000014
【図１１Ｂ】
2004532551.tif 000015
【図１１Ｃ】
2004532551.tif 000016
【図１２Ａ】
2004532551.tif 000017
【図１２Ｂ】
2004532551.tif 000018
【図１２Ｃ】
2004532551.tif 000019
【図１３Ａ】
2004532551.tif 000020
【図１３Ｂ】
2004532551.tif 000021
【図１３Ｃ】
2004532551.tif 000022
【図１４】
2004532551.tif 000023
【図１５Ａ】
2004532551.tif 000024
【図１５Ｂ】
2004532551.tif 000025
【図１５Ｃ】
2004532551.tif 000026
【図１６】
2004532551.tif 000027
【図１７Ａ】
2004532551.tif 000028
【図１７Ｂ】
2004532551.tif 000029
【図１８Ａ】
2004532551.tif 000030
【図１８Ｂ】
2004532551.tif 000031
【図１８Ｃ】
2004532551.tif 000032
【図１９】
2004532551.tif 000033
【国際公開パンフレット】
2004532551.tif 000034
2004532551.tif 000035
2004532551.tif 000036
2004532551.tif 000037
2004532551.tif 000038
2004532551.tif 000039
2004532551.tif 000040
2004532551.tif 000041
2004532551.tif 000042
2004532551.tif 000043
2004532551.tif 000044
2004532551.tif 000045
2004532551.tif 000046
2004532551.tif 000047
2004532551.tif 000048
2004532551.tif 000049
2004532551.tif 000050
2004532551.tif 000051
2004532551.tif 000052
2004532551.tif 000053
2004532551.tif 000054
2004532551.tif 000055
2004532551.tif 000056
2004532551.tif 000057
2004532551.tif 000058
2004532551.tif 000059
2004532551.tif 000060
2004532551.tif 000061
2004532551.tif 000062
2004532551.tif 000063
2004532551.tif 000064
2004532551.tif 000065
2004532551.tif 000066
2004532551.tif 000067
2004532551.tif 000068
2004532551.tif 000069
2004532551.tif 000070
2004532551.tif 000071
2004532551.tif 000072
2004532551.tif 000073
2004532551.tif 000074
2004532551.tif 000075
2004532551.tif 000076
2004532551.tif 000077
2004532551.tif 000078
2004532551.tif 000079
2004532551.tif 000080
2004532551.tif 000081
2004532551.tif 000082
2004532551.tif 000083
2004532551.tif 000084
2004532551.tif 000085
2004532551.tif 000086
【国際公開パンフレット（コレクトバージョン）】
2004532551.tif 000087
2004532551.tif 000088
【国際調査報告】
2004532551.tif 000089
2004532551.tif 000090
2004532551.tif 000091
2004532551.tif 000092
2004532551.tif 000093
2004532551.tif 000094